【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
カテーテル装置であって、前記カテーテル装置は、
遠位端および近位端を伴う中空シャフトと、
中心縦軸と、遠位端と、近位端とを有する非閉塞性自己拡張可能足場であって、前記自己拡張可能足場は、前記中空シャフトの遠位端に配置されており、前記カテーテルの遠位端の一部は、少なくとも部分的に、前記自己拡張可能足場の内側に配置されている、自己拡張可能足場と
を備え、
前記足場の近位端は、前記中空シャフトに固定して取着され、前記遠位端は、前記シャフトに沿って摺動可能であり、
前記中空シャフトの遠位端の少なくとも一部は、実質的に、前記自己拡張可能足場の中心軸に沿って配置されている、カテーテル装置。
【請求項２】
前記中空シャフトにわたって摺動するための外側シャフトをさらに備える、請求項１に記載のカテーテル装置。
【請求項３】
管腔と、遠位開口部と、遠位端とを有するマイクロカテーテルをさらに備え、前記マイクロカテーテルは、前記中空シャフトの管腔を通過可能であり、前記足場は、前記足場の中心縦軸沿って前記マイクロカテーテルを心合させるように構成されている、請求項２に記載のカテーテル装置。
【請求項４】
前記中空シャフトおよびマイクロカテーテルは、独立して、動作可能であることができる、請求項３に記載のカテーテル装置。
【請求項５】
前記マイクロカテーテルの管腔を通過するための１つ以上のガイドワイヤをさらに備える、請求項３に記載のカテーテル装置。
【請求項６】
前記マイクロカテーテルは、前記１つ以上のガイドワイヤより剛性であるが、前記１つ以上のガイドワイヤより可撓性ではなく、前記マイクロカテーテルの遠位端は、テーパ状である、請求項５に記載のカテーテル装置。
【請求項７】
前記自己拡張可能足場は、前記足場の円筒形平面から前記自己拡張可能足場構造の中心縦軸に内向きに突出するループを備える、請求項１に記載のカテーテル装置。
【請求項８】
前記ループは、前記自己拡張可能足場構造の中心縦軸に略沿って、前記中空シャフトを位置付ける、請求項７に記載のカテーテル装置。
【請求項９】
前記自己拡張可能足場は、ニチノールを備える、請求項１に記載のカテーテル装置。
【請求項１０】
前記自己拡張可能足場は、前記足場の遠位端にループ網を備える、請求項１に記載のカテーテル装置。
【請求項１１】
前記中空シャフトおよび前記外側シャフトは、可撓性である、請求項３に記載のカテーテル装置。
【請求項１２】
前記マイクロカテーテルは、取り外し可能である、請求項３に記載のカテーテル装置。
【請求項１３】
ハンドル本体をさらに備える、請求項１に記載のカテーテル装置。
【請求項１４】
前記足場の遠位端は、前記中空シャフトが通過するループを有するように構成されている、請求項１に記載のカテーテル装置。
【請求項１５】
前記足場のループは、少なくとも１つの頂部および少なくとも１つの谷部を備える、請求項１４に記載のカテーテル装置。
【請求項１６】
前記ループは、ジグザグの構成を備える、請求項１４に記載のカテーテル装置。
【請求項１７】
前記足場の遠位端は、反転されている、請求項１４に記載のカテーテル装置。
【請求項１８】
前記足場のループは、前記中空シャフト上に圧着されている、請求項１４に記載のカテーテル装置。
【請求項１９】
前記ループは、前記足場の遠位端上に配置されたリングを備える、請求項１４に記載のカテーテル装置。
【請求項２０】
前記足場は、拡張されると、略円筒形形状である、請求項１４に記載のカテーテル装置。
【請求項２１】
前記ループの遠位端に支柱をさらに備える、請求項１４に記載のカテーテル装置。
【請求項２２】
前記足場の近位端は、前記中空シャフトに対するいかなる実質的移動も防止するように前記中空シャフトに固定して取着されている、請求項１に記載のカテーテル装置。
【手続補正２】
【補正対象書類名】明細書
【補正対象項目名】００３４
【補正方法】変更
【補正の内容】
【００３４】
本発明の付加的特徴、利点、および実施形態は、以下の発明を実施するための形態、図面、および請求項に記載される、またはその検討から明白である。さらに、前述の発明の概要および以下の発明を実施するための形態は両方とも、例示であって、請求される本発明の範囲を限定することなく、さらなる説明を提供することを意図することを理解されたい。
本発明は、例えば、以下を提供する。
（項目１）
カテーテル装置であって、
遠位端および近位端を伴う、中空シャフトと、
中心縦軸を有する、非閉塞性自己拡張可能足場であって、前記自己拡張可能足場は、前記カテーテルの遠位端に配置され、前記カテーテルの遠位端の一部は、少なくとも部分的に、前記自己拡張可能足場の内側に配置される、自己拡張可能足場と
を備え、
前記遠位端は、前記シャフトに沿って摺動可能であり、
前記足場は、前記カテーテルの遠位端に結合されるように構成され、前記カテーテルの遠位端の少なくとも一部は、実質的に、前記自己拡張可能足場構造の中心軸に沿って配置される、装置。
（項目２）
前記中空シャフトにわたって摺動するためのシースをさらに備える、項目１に記載のカテーテル装置。
（項目３）
管腔、遠位開口部、および遠位端を有する、マイクロカテーテルをさらに備える、項目１に記載のカテーテル装置。
（項目４）
前記内側シャフトおよびマイクロカテーテルは、独立して、動作可能である、項目３に記載のカテーテル装置。
（項目５）
前記マイクロカテーテルの管腔を通して通過するための１つ以上のガイドワイヤをさらに備える、項目１に記載のカテーテル装置。
（項目６）
前記マイクロカテーテルは、前記１つ以上のガイドワイヤより剛性であるが、それほど可撓性ではない、項目５に記載のカテーテル装置。
（項目７）
前記自己拡張可能足場は、前記足場の円筒形平面から前記自己拡張可能足場構造の中心縦軸に内向きに突出する、ループを備える、項目１に記載のカテーテル装置。
（項目８）
前記ループは、前記自己拡張可能足場構造の中心縦軸に略沿って、前記シャフトを位置付ける、項目７に記載のカテーテル装置。
（項目９）
前記自己拡張可能足場は、ニチノールを備える、項目１に記載のカテーテル装置。
（項目１０）
前記自己拡張可能足場は、前記足場の遠位端にループ網を備える、項目１に記載のカテーテル装置。
（項目１１）
前記シースおよびシャフトは、可撓性である、項目３に記載のカテーテル装置。
（項目１２）
前記シャフトの遠位端は、親水性である、項目１に記載のカテーテル装置。
（項目１３）
前記シースの遠位端は、親水性コーティングを備える、項目３に記載のカテーテル装置。
（項目１４）
前記マイクロカテーテルの遠位端は、テーパ状である、項目２に記載のカテーテル装置。
（項目１５）
前記マイクロカテーテルは、可撤性または非常に可撓性である、項目２に記載のカテーテル装置。
（項目１６）
ハンドル本体をさらに備える、項目１に記載のカテーテル装置。
（項目１７）
マイクロカテーテルを脈管内で心合させる方法であって、
マイクロカテーテルを脈管の中に挿入するステップであって、前記マイクロカテーテルは、
遠位端および近位端を伴う、中空シャフトと、
中心縦軸を有する、非閉塞性自己拡張可能足場であって、前記自己拡張可能足場は、前記カテーテルの遠位端に配置され、前記カテーテルの遠位端の一部は、少なくとも部分的に、前記自己拡張可能足場の内側に配置される、自己拡張可能足場と、
シースと
を備え、
前記遠位端は、前記シャフトに沿って摺動可能であり、
前記足場は、前記カテーテルの遠位端に結合されるように構成され、前記カテーテルの遠位端の少なくとも一部は、実質的に、前記自己拡張可能足場構造の中心軸に沿って配置され、
前記中空シャフトは、前記シースによって被覆される、ステップと、
前記シースを抜去し、前記自己拡張可能足場構造を拡張させ、それによって、前記足場の拡張は、前記足場の中心縦軸に沿って、前記マイクロカテーテルを心合させ、それによって、前記マイクロカテーテルを前記脈管内で心合させる、ステップと
を含む、方法。
（項目１８）
ガイドワイヤを前記マイクロカテーテルを通して挿入するステップをさらに含む、項目１７に記載の方法。
（項目１９）
前記脈管は、慢性閉塞病変を有し、前記方法はさらに、前記慢性閉塞病変と接触させて、前記マイクロカテーテルを前進させるステップを含む、項目１７に記載の方法。
（項目２０）
前記自己拡張可能足場は、前記足場の円筒形平面から前記自己拡張可能足場構造の中心縦軸に内向きに突出する、ループを備える、項目１７に記載の方法。
（項目２１）
前記ループは、前記自己拡張可能足場構造の中心縦軸に略沿って、前記シャフトを位置付ける、項目１７に記載の方法。